(57)【要約】【課題】不使用時でも邪魔にならないフットレストを蹴込み部に備えたキャビネットを実現する。【解決手段】底板４の上方に収納部５が形成されているとともに、底板４の下方で収納部５の前面より奥側の位置に蹴込み板７を備えたキャビネット１であって、蹴込み板７の前面部８に奥側に凹んだ凹部１１を形成し、この凹部１１にフットレスト１３が回転可能に取り付けられており、フットレスト１３を上方へ回転して跳ね上げた時に、フットレスト１３が凹部１１内に収まるように形成されており、フットレストを上方へ回転して跳ね上げた時に表出するフットレストの裏面１５が、蹴込み板７と同意匠の化粧材で形成されている。【選択図】図２
2008067784.tif 000002
【特許請求の範囲】
【請求項１】
底板の上方に収納部が形成されているとともに、底板の下方で収納部の前面より奥側の位置に蹴込み板を備えたキャビネットであって、蹴込み板の前面部に奥側に凹んだ凹部を形成し、該凹部にフットレストが取り付けられていることを特徴とするキャビネット。
【請求項２】
請求項１記載のキャビネットであって、フットレストが回転可能に取り付けられていることを特徴とするキャビネット。
【請求項３】
請求項２記載のキャビネットであって、フットレストを上方へ回転して跳ね上げた時に、フットレストが凹部内に収まるように形成されていることを特徴とするキャビネット。
【請求項４】
請求項２または３記載のキャビネットであって、フットレストを上方へ回転して跳ね上げた時に表出するフットレストの裏面が、蹴込み板と同意匠の化粧材で形成されていることを特徴とするキャビネット。
【発明の詳細な説明】
【技術分野】
【０００１】
本発明は、蹴込み板にフットレストを設けたキッチン等のキャビネットに関する。
【背景技術】
【０００２】
キッチンの使用者が洗い物等の作業をする際に、肉体的な負担が大きいが、キャビネットや床に棒や台（フットレスト）を固定すれば、これに足を載せることにより脚への負担を軽減することができる。
【０００３】
従来、流し台下部にフットレストを設ける構成は、公知である（特許文献１〜３参照）。そして、フットレストの傾斜角を調整可能としたものも公知である（特許文献４参照）。
さらに、引き出しの前面部の最下部にフットレストを取り付けたものについて、本件出願人がすでに提案している（特願２００６−１６６５８８号）。
【特許文献１】実開昭６３−１５５４２５号公報
【特許文献２】特許第３４１９１６１号公報
【特許文献３】特開平９−１１７３３０号公報
【特許文献４】特開２００２−２２３８９２号公報
【発明の開示】
【発明が解決しようとする課題】
【０００４】
上記従来例のように、流し台下部にフットレストを設けると、その上に足を載せることで、脚への負担を軽減することができる。しかし、フットレストを使用しない人もいるし、フットレストを使用する人にとっても常に必ず必要であるとも限らないので、場合によっては、フットレストが邪魔であるという問題があった。  
【０００５】
本発明は、不使用時でも邪魔にならないフットレストを蹴込み部に備えたキャビネットを実現することを課題とする。
【課題を解決するための手段】
【０００６】
本発明は上記課題を解決するために、底板の上方に収納部が形成されているとともに、底板の下方で収納部の前面より奥側の位置に蹴込み板を備えたキャビネットであって、蹴込み板の前面部に奥側に凹んだ凹部を形成し、該凹部にフットレストが取り付けられていることを特徴とするキャビネットを提供する。
【０００７】
前記キャビネットでは、フットレストが回転可能に取り付けられていることが好ましい。
【０００８】
前記キャビネットでは、フットレストを上方へ回転して跳ね上げた時に、フットレストが凹部内に収まるように形成されていることが好ましい。
【０００９】
前記キャビネットでは、フットレストを上方へ回転して跳ね上げた時に表出するフットレストの裏面が、蹴込み板と同意匠の化粧材で形成されていることが好ましい。
【発明の効果】
【００１０】
本発明に係るキャビネットによれば、蹴込み板の前面部に凹部を設け、この凹部内にフットレストを取り付けたので、使用時には、使用者はフットレストに足を載せながらつま先を凹部内まで伸ばして楽にすることができ、不使用時でも、フットレストが凹部に取り付けられているので邪魔にならないという効果が生じる。
【発明を実施するための最良の形態】
【００１１】
本発明に係るキャビネットを実施するための最良の形態を実施例に基づき図面を参照して、以下説明する。
【実施例１】
【００１２】
図１〜図３は、本発明に係るキャビネットをシステムキッチンのキャビネット１に適用した実施例を説明する図である。図１は、システムキッチンにおけるキャビネット１の全体構成を示す斜視図である。図２（ａ）は、キャビネット１の全体構成を説明する断面図である。図２（ｂ）は、図２（ａ）における蹴込み板７の凹部１１及びフットレスト１３を説明するための要部拡大図である。図１及び図２（ａ）に示すように、キャビネット１の上方にシンク２やコンロ２’を備えた天板３が設けられ、流し台が形成されている。
【００１３】
キャビネット１の下端（床１０と接する下端）より上方に底板４が設けられている。この底板４の上方には、収納部５が形成されているとともに、収納部５の前面が扉６で開閉自在に構成されている。図１に示すように、この底板４の上方の収納部５は、１段又は複数段の前方に引き出すことのできる引き出し式の収納部でもよい。
【００１４】
底板４の下方であって、収納部５の前面の位置（より正確には、図２（ｂ）においてＸ−Ｘで示すように、扉６の前面の位置）より奥側の位置に蹴込み板７が設けられている。従って、収納部５の前面である扉６の前面より、蹴込み板７の前面は奥側に位置していることとなる。底板４の下方であって蹴込み板７の前方には、使用者がその足先を入れることのできる蹴込み部（蹴込み空間）９が形成されている。
【００１５】
蹴込み板７は、図１に示すように、キャビネット１の両側の側板１’（仕切板のある場合はさらに仕切板）の前面に固定されている。蹴込み板７の前面部８に、奥側に凹んだ凹部１１が形成されている。このように凹部１１が形成されていると、蹴込み部９の奥行きが、蹴込み板７が平坦な構成に較べて大きく（深く）なり、使用者の足のつま先を奥まで入れることができる。
【００１６】
この図２（ｂ）に示すように、蹴込み板７の前面部８であって凹部１１の前面１２に、フットレスト１３がヒンジ１４により回転可能に取り付けられている。即ち、フットレスト１３は、その基端側の角部がヒンジ１４で蹴込み板７に回転可能に取り付けられている。
【００１７】
これにより、不使用時には、図１及び図２（ｂ）に示すように、フットレスト１３を、蹴込み板７の凹部１１の前面１２に沿って跳ね上げて（図１においてシンク２側のフットレスト１３を矢印の方向に回転して跳ね上げた状態を参照）垂直状態に起立した状態とし、凹部１１に収納することができる。そして、フットレスト１３の上面及び蹴込み板７の凹部１１の前面１２の少なくとも一方に、磁石１７が設けられており、フットレスト１３を起立した状態を保持することができる。フットレスト１３の上面に磁石１７が設けられていると、使用者の足裏面に接して血流促進効果が生じる。
【００１８】
なお、図示はしないが、磁石１７を設ける代わりに、フットレスト１３と蹴込み板７に互いに弾力的に係脱する係脱具を取り付け、フットレスト１３の起立した状態を保持する構成としてもよい。例えば、蹴込み板７に小さな突起を設け、この突起がフットレスト１３の上面に形成された係入孔に弾力的に係脱自在に係合する構成等がある。
【００１９】
フットレスト１３は、図２（ｂ）に示すように、その断面が先端側に向かうに従い厚さが小さくなるようにテーパ状に形成されている。このようにテーパ状に形成されていると、図３（ａ）に示すように、使用時にフットレスト１３を水平にした状態では、先端に向かってフットレスト１３の上面が徐々に下降しているので、使用者はそのつま先をやや上方に向けて載せることができる。
【００２０】
なお、フットレストは、上記のようにテーパ状に形成することなく、図２（ｃ）に示すフットレスト１６のように矩形断面に形成してもよい。このように構成すれば、フットレスト１６を跳ね上げて起立した際に正面に表出するフットレスト１６の裏面１５（フットレスト１６を使用時に水平状態とした場合の下面）が、蹴込み板７の前面部８と互いに平行となる。これにより、フットレスト１６は蹴込み板７と、より一体化された印象を醸し出し、見映えが向上する。
【００２１】
さらに、フットレスト１３、１６を跳ね上げて起立した際に正面に表出するフットレスト１３、１６の裏面１５が、蹴込み板７と同意匠（色彩、材質等の意匠）の化粧材で形成されていると、フットレスト１３、１６を凹部１２内に収納した際に、蹴込み板７に対して違和感がないので、フットレスト１３、１６が蹴込み板７と、より一体化された印象を醸し出し、見映えが向上する。
【００２２】
（作用）
以上の構成からなる本発明に係るキャビネット１の作用を説明する。使用時には、図１（コンロ２’側のフットレスト１３を参照）及び図３（ａ）に示すように、フットレスト１３が水平状態になる（より正確には、裏面１５が床１０と平行となる）ようにすることで、使用者は足を載せて休ませることができる。
【００２３】
この場合、蹴込み板７の前面部８に奥側に凹んだ凹部１１が形成されているので、使用者は、キャビネット１の蹴込み部９において片足をフットレスト１３上に載せて、より奥側に向けて片足を伸ばし、そのつま先を入れることができるので、片足を十分、リラックスして休ませることができる。
【００２４】
そして、不使用時には、図１（シンク２側のフットレスト１３を矢印方向に回転し跳ね上げた状態を参照）及び図３（ｂ）に示すように、フットレスト１３を蹴込み板７の凹部１１の前面１２に沿って垂直状態に跳ね上げて起立した状態とし磁石１７（又はその他の係脱機構）で凹部１１の前面１に沿って保持可能とすることで、凹部１１内に収納することができる。
【００２５】
（変形例１）                  
図４は、本発明の実施例の変形例１を説明する図である。この変形例１は、磁石１７の代わりに、フットレスト１３を蹴込み板７に回転可能に取り付けるヒンジ１４に、クリック機構１８を設けて、フットレスト１３が垂直位置でヒンジ１４の回転軸１９が保持されるような構成としたものである。
【００２６】
このクリック機構１８を図４（ａ）〜（ｃ）で説明する。図４（ａ）に示すように、蹴込み板７の凹部１１の前面１２に、フットレスト１３がヒンジ１４で回転可能に取り付けられている。このヒンジ１４の拡大図を図４（ｂ）に示す。ヒンジ１４の軸受２０と一体の固定側取付片２１が、蹴込み板７の凹部１１の前面１２に固定されている。また、回転軸１９に固定された回転側取付片２２が、フットレスト１３の基端部に固定されている。
【００２７】
図４（ｃ）は、クリック機構１８の拡大図である。回転軸１９に窪み２３が形成されており、この窪み２３内に圧縮バネ２４により窪み２３から突出するように弾力的に付勢された出没可能な突起２５が設けられている。軸受２０の内面には、凹孔２６が、フットレスト１３が垂直状態に起立した際に突起２５が係入する位置に、設けられている。
【００２８】
これにより、フットレスト１３が垂直状態に起立した状態において、凹孔２６に突起２５が係入し回転軸１９の回転を拘束して、フットレスト１３を垂直状態に保持することができる。使用者が蹴込み板７を前方に引き倒すと、突起２５は圧縮バネ２４に抗して窪み２３内に引き込むことで凹孔２６から抜け出て、回転軸１９及び蹴込み板７を、図４（ｂ）において矢印方向（反時計回り）に回転可能とすることができる。
【００２９】
なお、図４（ｂ）では、突起２５を回転軸１９に設けたが、別の実施の態様としては、図示はしないが、突起２５を軸受２０側に設け、凹孔２６を軸受２０側に設けてもよい。要するに、フットレスト１３が垂直に起立した位置で、軸受２０側から突起が回転軸１９側の凹孔内に係入して、回転軸１９を拘束してフットレスト１３を収納位置に保持するような構成としてもよい。
【００３０】
（変形例２）  
図５（ａ）〜（ｅ）は、本発明の実施例の変形例２を説明する図である。この変形例２では、図５（ａ）、（ｂ）に示すように、常時は閉じる方向に付勢された捩りバネ２７をヒンジ１４に装着し、このヒンジ１４によってフットレスト１３を、図５（ｃ）、（ｄ）に示すように、蹴込み板７に取り付ける構成としたものである。
【００３１】
この変形例２では、図５（ｃ）に示すように、フットレスト１３を捩りバネ２７の弾力に抗して水平状態で保持するように、フットレスト１３の基端面及び蹴込み板７の前面の少なくとも一方に磁石１７を設ける構成とする。
【００３２】
或いは、フットレスト１３を捩りバネ２７の弾力に抗して水平状態で保持するように係脱機構（図示しないが弾力的に係脱する突起と係入孔から成る機構）や、前記実施例のようにヒンジ１４にクリック機構を設けて、フットレスト１３が水平状態で回転軸１９が係止されるような構成としてもよい。
【００３３】
このような構成とすれば、使用時はフットレスト１３を捩りバネ２７に抗して図５（ｃ）に示すように水平状態として、磁石１７や係脱機構等で水平状態に保持すれば、使用者はつま先をキャビネット１の奥側まで伸ばしてフットレスト１３に載せて休めることができる。
【００３４】
そして、不使用時には、磁石１７や係脱機構によるフットレスト１３の保持をはずせば、図５（ｄ）に示すように、フットレスト１３が捩りバネ２７の弾力で自動的に回転して跳ね上げられて、蹴込み板７の凹部１１内に垂直状態で収納可能である。  
【００３５】
以上、本発明に係るキャビネット１を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３６】
以上、本発明に係るキャビネットは、キッチンキャビネットだけでなく、使用者が、キャビネットの前で立って作業をするような作業キャビネットや洗面化粧台等にも適用可能である。
【図面の簡単な説明】
【００３７】
【図１】本発明の実施例の全体構成を説明する斜視図である。
【図２】（ａ）は本発明の実施例の全体構成を説明する断面図であり、（ｂ）はその要部を説明する断面図であり、（ｃ）はその要部の別の実施態様を説明する断面図である。
【図３】本発明の実施例の作用を説明する図であり、（ａ）はフットレストの使用時を、（ｂ）は不使用時を、それぞれ説明する図である。
【図４】本発明の実施例の変形例１を説明する図である。
【図５】本発明の実施例の変形例２を説明する図である。
【符号の説明】
【００３８】
１  キャビネット                   
２  シンク                         
３  天板                           
４  底板                           
５  収納部                         
６  扉
７  蹴込み板                       
８  蹴込み板の前面部             
９  蹴込み部（蹴込み空間）         
１０  床                           
１１  蹴込み板の前面部の凹部       
１２  蹴込み板の凹部の前面                         
１３、１６  フットレスト                 
１４  ヒンジ                       
１５  フットレストの裏面（下面）   
１７  磁石                         
１８  クリック機構                 
１９  回転軸                       
２０  ヒンジの軸受                 
２１  ヒンジの固定側取付片         
２２  ヒンジの回転側取付片         
２３  ヒンジの回転軸の窪み         
２４  圧縮バネ                     
２５  突起                         
２６  ヒンジの軸受の凹孔           
２７  捩りバネ                     
【図１】
2008067784.tif 000003
【図２】
2008067784.tif 000004
【図３】
2008067784.tif 000005
【図４】
2008067784.tif 000006
【図５】
2008067784.tif 000007